(57)【要約】【課題】  光学的結合部を確実簡単に保持することが可能な、光ファイバの結合部分収納トレイを提供する。【解決手段】  光ファイバの結合部分収納トレイ１は、光ファイバ２同士を光学的に結合してなる光学的結合部３を複数保持することが可能なホルダー６、６をトレイ底壁７上に有するものであって、ホルダー６は、基部１５と、その基部１５の一端に並んで設けられる複数の挟持用の波板１６とを有する。ホルダー６は、基部１５の他端を中心に回動自在となる。波板１６とトレイ底壁７との間には、少なくとも光ファイバ２の径より大きい隙間を設け、その隙間を光ファイバ２の余長部４に対する余長収納部１４とする。【選択図】    図１
2005266260.tif 000002
【特許請求の範囲】
【請求項１】
光ファイバ同士を光学的に結合してなる光学的結合部を複数保持することが可能なホルダーをトレイ底壁上に有する光ファイバの結合部分収納トレイであって、
前記ホルダーは、基部と、該基部の一端に並んで設けられる複数の挟持用の波板とを有する
ことを特徴とする光ファイバの結合部分収納トレイ。
【請求項２】
請求項１に記載の光ファイバの結合部分収納トレイにおいて、
前記ホルダーは、前記基部の他端を中心に回動自在となる
ことを特徴とする光ファイバの結合部分収納トレイ。
【請求項３】
請求項２に記載の光ファイバの結合部分収納トレイにおいて、
前記回動自在の前記ホルダーを、該ホルダーの積層方向に複数設ける
ことを特徴とする光ファイバの結合部分収納トレイ。
【請求項４】
請求項２に記載の光ファイバの結合部分収納トレイにおいて、
前記回動自在の前記ホルダーを、該ホルダーの略対称位置にも設ける
ことを特徴とする光ファイバの結合部分収納トレイ。
【請求項５】
請求項１ないし請求項４いずれか記載の光ファイバの結合部分収納トレイにおいて、
前記波板と前記トレイ底壁との間に少なくとも前記光ファイバの径より大きい隙間を設け、該隙間を前記光ファイバの余長に対する余長収納部とする
ことを特徴とする光ファイバの結合部分収納トレイ。
【発明の詳細な説明】
【技術分野】
【０００１】
本発明は、光ファイバ同士の光学的結合部及びその周辺を収納するための、光ファイバの結合部分収納トレイに関する。
【背景技術】
【０００２】
従来の、光ファイバ同士の光学的結合部及びその周辺に対する結合部分収納トレイには、光学的結合部を複数保持することが可能なホルダーと、光ファイバの余長に対する余長収納部とが設けられている（例えば特許文献１参照）。また、従来の結合部分収納トレイには、ホルダーの設置位置が自在となるものもある（例えば特許文献２参照）。
【特許文献１】特開２０００−２９２６４０号公報  （第２頁、第１図）
【特許文献２】特開２００３−２３２９３８号公報  （第３頁、第３図）
【発明の開示】
【発明が解決しようとする課題】
【０００３】
ところで、結合部分収納トレイのホルダーにあっては、光学的結合部を確実簡単に保持できることが好ましい。しかしながら、上記特許文献１、２の各ホルダーにあっては、単なる差し込み式のホルダーであることから、簡単に保持することができるものの、何らかの要因で引き抜き方向に力が加わった場合に、光学的結合部が抜け易いという問題点を有している。
【０００４】
その他、上記特許文献１の結合部分収納トレイにあっては、ホルダーと余長収納部とを有することから、大型化してしまうという問題点や、より多くの光学的結合部を保持する場合に、結合部分収納トレイ自体を重ねなければならないという問題点を有している。
【０００５】
また、上記特許文献２の結合部分収納トレイにあっては、余長収納部が無いという問題点や、より多くの光学的結合部を保持する場合に、結合部分収納トレイ自体を重ねなければならないという問題点を有している。
【０００６】
本発明は、上述した事情に鑑みてなされるもので、光学的結合部を確実簡単に保持することが可能な、光ファイバの結合部分収納トレイを提供することを課題とする。また、コンパクトであるとともに多くの光学的結合部を保持することが可能な、光ファイバの結合部分収納トレイを提供することを課題とする。
【課題を解決するための手段】
【０００７】
上記課題を解決するためなされた請求項１記載の本発明の光ファイバの結合部分収納トレイは、光ファイバ同士を光学的に結合してなる光学的結合部を複数保持することが可能なホルダーをトレイ底壁上に有する光ファイバの結合部分収納トレイであって、前記ホルダーは、基部と、該基部の一端に並んで設けられる複数の挟持用の波板とを有することを特徴としている。このような特徴を有する本発明によれば、並んで配置される複数の波板に光学的結合部が挟み込まれて保持される。挟み込みに関してもう少し詳しく説明すると、波板は、山と谷とが繰り返し連続してなるものであることから、隣り合う波板同士の山と谷との配置が逆になれば、光学的結合部の挟み込みができるようになる。尚、ホルダーは、差し込み式の保持であるものの、線接触での保持ではなく面接触の保持になることから、簡単に脱落するようなことはない。
【０００８】
請求項２記載の本発明の光ファイバの結合部分収納トレイは、請求項１に記載の光ファイバの結合部分収納トレイにおいて、前記ホルダーは、前記基部の他端を中心に回動自在となることを特徴としている。このような特徴を有する本発明によれば、作業し易い位置にホルダーが回動する。
【０００９】
請求項３記載の本発明の光ファイバの結合部分収納トレイは、請求項２に記載の光ファイバの結合部分収納トレイにおいて、前記回動自在の前記ホルダーを、該ホルダーの積層方向に複数設けることを特徴としている。このような特徴を有する本発明によれば、ホルダーの数が増える。より多くの光学的結合部が保持される。
【００１０】
請求項４記載の本発明の光ファイバの結合部分収納トレイは、請求項２に記載の光ファイバの結合部分収納トレイにおいて、  前記回動自在の前記ホルダーを、該ホルダーの略対称位置にも設けることを特徴としている。このような特徴を有する本発明によれば、ホルダーの数が増える。より多くの光学的結合部が保持される。
【００１１】
請求項５記載の本発明の光ファイバの結合部分収納トレイは、請求項１ないし請求項４いずれか記載の光ファイバの結合部分収納トレイにおいて、前記波板と前記トレイ底壁との間に少なくとも前記光ファイバの径より大きい隙間を設け、該隙間を前記光ファイバの余長に対する余長収納部とすることを特徴としている。このような特徴を有する本発明によれば、波板とトレイとの間に余長収納部が設けられる。光ファイバの結合部分収納トレイの小型化が図られる。
【発明の効果】
【００１２】
請求項１に記載された本発明によれば、光学的結合部を確実簡単に保持することができるという効果を奏する。また、請求項２に記載された本発明によれば、作業性を向上させることができるという効果を奏する。また、請求項３、４に記載された本発明によれば、多くの光学的結合部を保持することができるという効果を奏する。また、請求項５に記載された本発明によれば、コンパクトな光ファイバの結合部分収納トレイを提供することができるという効果を奏する。
【発明を実施するための最良の形態】
【００１３】
以下、図面を参照しながら説明する。
図１は本発明の光ファイバの結合部分収納トレイの一実施の形態を示す図であり、（ａ）は平面図、（ｂ）は側面図である。また、図２は図１におけるホルダーの拡大図であり、（ａ）は平面図、（ｂ）は側面図である。
【００１４】
図１において、引用符号１は本発明に係る光ファイバの結合部分収納トレイ（以下、結合部分収納トレイと略記する）を示している。その本発明の結合部分収納トレイ１は、光ファイバ２同士の光学的結合部３及びその周辺となる余長部４を収納するためのものであって、トレイ本体５と、一対のホルダー６、６とを備えて構成されている。尚、光ファイバ２は既知のもの（例えば４心テープ心線）であり、詳細な説明は省略する。また、光学的結合部３も既知の融着スリーブ（これに限定されるものではない）であり、同様に詳細な説明は省略する。
【００１５】
上記トレイ本体５は、トレイ底壁７と四つのトレイ側壁８とを有している。トレイ本体５は、浅底の箱形状に形成されている。トレイ底壁７は、平面視略矩形状に形成されている。すなわち、トレイ底壁７は、図１に示されるように、その四隅部分が切り落とされたような形状に形成されている。上記四隅部分には、光ファイバ導入出口９がそれぞれ形成されている。トレイ底壁７の中央には、ホルダー支持部１０が設けられている。ホルダー支持部１０は、ホルダー６、６をそれぞれ回動自在に支持するための部分であって、柱状に形成されている。ホルダー支持部１０は、トレイ底壁７とホルダー６、６との間に少なくとも光ファイバ２の径より大きな隙間（好ましくは、余長をとった光ファイバ２の束径より大きな間隙）が設けられるようにその高さが設定されている。
【００１６】
トレイ底壁７には、余長部４の位置を規制するための余長位置決め部１１、１２が複数形成されている。余長位置決め部１１は、各光ファイバ導入出口９の近くに配置形成されている。余長位置決め部１１は、略ピン状の突起となるように形成されている。一方、余長位置決め部１２は、図１に示される場合、ホルダー支持部１０の左右両側に所定の間隔をあけて配置形成されている。余長位置決め部１２は、光ファイバ２の最小屈曲半径を確保するように略円弧状の突起となるように形成されている。
【００１７】
四つのトレイ側壁８は、その端部が各光ファイバ導入出口９の一部を形成するようにトレイ底壁７の縁部に連成されている。四つのトレイ側壁８のうち上下（図１に示される場合）に位置するトレイ側壁８には、凹部１３が形成されている。凹部１３は、ホルダー６、６に対する逃がし部分であって、このような形状にすることにより、ホルダー６、６の後述する回動に係る操作が容易となるようになっている（ホルダー６、６が持ち易くなる）。
【００１８】
トレイ本体５において、余長位置決め部１１、１２に挟まれる部分と、ホルダー支持部１０及び上下のトレイ側壁８に挟まれる部分、すなわちホルダー６、６の下側となる上記隙間部分とで、余長部４を収納するための余長収納部１４が形成されている。余長収納部１４は、略長円形の帯状の空間となるように形成されている。
【００１９】
上記ホルダー６、６は、図１に示されるように、共に同じ形状且つ略対称位置となるように配置形成されている。ホルダー６（同じ形状であるので片方のみ説明する）は、バネ性を有する金属板（ＳＫ５、ＳＵＳ３０１、ＳＵＳ３０４等）をプレス加工することにより形成されており、図１及び図２に示されるように、基部１５と、その基部１５の一端に並んで設けられる挟持用の波板１６ａ〜１６ｃ（総称する場合には１６）とを有している。
【００２０】
基部１５は、例えば、矩形状の板を折り曲げる、又は二枚の矩形状の板を接合することにより形成されており、上記一端に対応する他端には、特に構造を示さないが、回動軸１７が設けられている。ホルダー６は、回動軸１７によりホルダー支持部１０に対して回動自在に支持されている。ホルダー６は、通常、トレイ底壁７に対して略平行に配置されており、光学的結合部３の保持に係る作業の際には、作業し易い位置に回動させるようになっている。尚、回動させる構造に必要性がない場合には、基部１５とホルダー支持部１０とを一体化するものとする。
【００２１】
波板１６は、光学的結合部３の径に合わせて形成される山と谷とが繰り返し連続する帯状の板であって、本形態においては、光学的結合部３を四つ保持することができるように山と谷とが形成されている。波板１６ａ及び１６ｃは、平面視の場合、基部１５の一端に一番近い方から山、谷、山、谷と続くように形成されている。また、所定の間隔をあけて波板１６ａ及び１６ｃに挟まれる波板１６ｂは、基部１５の一端に一番近い方から谷、山、谷、山と続くように形成されている。
【００２２】
上記形状のホルダー６は、バネ性の波板１６を有することから、差し込みにより光学的結合部３を各々四つ保持させることができる。光学的結合部３を各々四つ保持させると、図１及び図２に示されるように、四つの光学的結合部３と波板１６ａ〜１６ｃとで、織物の折り方の一つである平織りのような状態が形成される。光学的結合部３は、ホルダー６によって容易に脱落しないような状態に保持される（波板１６の山と谷の部分に面接触して保持される）。尚、上記の状態において、ホルダー６とトレイ底壁７との間、すなわち余長収納部１４には、光ファイバ２の余長部４が収納される。
【００２３】
以上、図１及び図２を参照しながら説明してきたように、本発明の結合部分収納トレイ１によれば、ホルダー６、６により、光学的結合部３を確実簡単に保持することができる。また、光ファイバ２のバタツキやハネを抑えることができる。さらに、ホルダー６、６により、作業性よく光学的結合部３を保持することができる。さらにまた、ホルダー６、６及び余長収納部１４の配置構成により、従来に比べて全体をコンパクト（図３に示されるように、幅で２０％（Ａ＜Ｄ）、奥行きで１５％（Ｂ＜Ｅ）小さくなる。高さは同じ（Ｃ＝Ｆ））にすることができる。さらにまた、ホルダー６、６により、従来に比べて多くの光学的結合部３を保持することができる（４心テープ心線を使用した場合、図１及び図３（ａ）、（ｂ）の結合部分収納トレイ１は４０心まで対応可能であるが、図３（ｃ）、（ｄ）の従来品は２０心までしか対応できない）。
【００２４】
尚、さらに多くの光学的結合部３を保持する必要がある場合には、図４に示されるように、ホルダー６を、そのホルダー６の積層方向に複数設ければよい（結合部分収納トレイ１自体を重ねなくとも対応することができる）。この場合、光学的結合部３の保持に係る作業は、図５に示されるように、ホルダー６の回動操作をすれば簡単に行える。
【００２５】
その他、本発明は本発明の主旨を変えない範囲で種々変更実施可能なことは勿論である。
【図面の簡単な説明】
【００２６】
【図１】本発明による光ファイバの結合部分収納トレイの一実施の形態を示す図であり、（ａ）は平面図、（ｂ）は側面図である。
【図２】図１におけるホルダーの拡大図であり、（ａ）は平面図、（ｂ）は側面図である。
【図３】大きさの比較図であり、（ａ）は本発明による光ファイバの結合部分収納トレイの平面図、（ｂ）は本発明による光ファイバの結合部分収納トレイの側面図、（ｃ）は従来品の平面図、（ｄ）は従来品の側面図である。
【図４】ホルダーを積層方向に複数設けた場合の説明図である。
【図５】図４のホルダーの回動に係る説明図である。
【符号の説明】
【００２７】
１  結合部分収納トレイ（光ファイバの結合部分収納トレイ）
２  光ファイバ
３  光学的結合部
４  余長部（余長）
５  トレイ本体
６  ホルダー
７  トレイ底壁
８  トレイ側壁
９  光ファイバ導入出口
１０  ホルダー支持部
１１、１２  余長位置決め部
１３  凹部
１４  余長収納部
１５  基部
１６、１６ａ〜１６ｃ  波板
１７  回動軸
【図１】
2005266260.tif 000003
【図２】
2005266260.tif 000004
【図３】
2005266260.tif 000005
【図４】
2005266260.tif 000006
【図５】
2005266260.tif 000007